(57)【要約】【課題】配電線を区分する常開区分開閉器の両端に接続された配電線の電圧の誤検出を防止し、不必要な系統ループ発生の障害を防止することである。【解決手段】配電線を区分する常開区分開閉器１２の両端に接続されたそれぞれの配線線１３ａ、１３ｂの電圧を検出する一対の電圧検出リレー１５ａ、１５ｂ、及び一対のＡＣ／ＤＣ変換器２０ａ、２０ｂを有し、電圧監視手段１７は、一対の電圧検出リレー１５ａ、１５ｂ及び一対のＡＣ／ＤＣ変換器２０ａ、２０ｂの検出信号を入力し、常開区分開閉器１２に接続されたそれぞれの配電線１３ａ、１３ｂにつき電圧検出リレー及びＡＣ／ＤＣ変換器の検出電圧を監視し、演算制御手段１８は、電圧監視手段１７が電圧検出リレー及びＡＣ／ＤＣ変換器の双方が電圧無しを検出している配電線があるときは常開区分開閉器の投入制御指令を出力する。【選択図】  図１
2011010507.tif 000002
【特許請求の範囲】
【請求項１】
配電線を区分する常開区分開閉器の両端に接続されたそれぞれの配線線の電圧を検出する一対の電圧検出リレーと、
前記常開区分開閉器の両端に接続されたそれぞれの配電線の電圧を検出する一対のＡＣ／ＤＣ変換器と、
前記一対の電圧検出リレー及び前記一対のＡＣ／ＤＣ変換器の検出信号を入力し前記常開区分開閉器に接続されたそれぞれの配電線につき前記電圧検出リレー及び前記ＡＣ／ＤＣ変換器の検出電圧を監視する電圧監視手段と、
前記電圧監視手段が前記電圧検出リレー及び前記ＡＣ／ＤＣ変換器の双方が電圧無しを検出している配電線があるときは常開区分開閉器の投入制御指令を出力する演算制御手段とを備えたことを特徴とする配電用開閉器制御装置。
【請求項２】
前記演算制御手段は、前記電圧検出リレーの検出電圧と前記ＡＣ／ＤＣ変換器の検出電圧とが不一致である場合に、装置異常を記憶部に記憶することを特徴とする請求項１記載の配電用開閉器制御装置。
【請求項３】
前記演算制御手段は、前記電圧検出リレーの検出電圧と前記ＡＣ／ＤＣ変換器の検出電圧とが不一致である場合に、異常信号を表示部に表示することを特徴とする請求項１又は２記載の配電用開閉器制御装置。
【請求項４】
前記演算制御手段は、前記電圧検出リレーの検出電圧と前記ＡＣ／ＤＣ変換器の検出電圧とが不一致である場合に、異常信号を伝送手段を介して親局装置に伝送することを特徴とする請求項１乃至３のいずれか１項に記載の配電用開閉器制御装置。
【発明の詳細な説明】
【技術分野】
【０００１】
本発明は配電線を区分する常開区分開閉器を開閉制御する配電用開閉器制御装置に関する。
【背景技術】
【０００２】
一般に、配電線は他の配電線と１つ又は２つ以上の常時開状態の区分開閉器（常開区分開閉器）を介して接続されている。配電線は常時にはループ構成をとることなく、決められた１つのフィーダ遮断器から電源供給を受ける形態で運転される。従って、配電線の途中で２つの常開区分開閉器間に囲まれた区間を停電させる場合、当該区間の負荷側（電源側の逆方向に位置する部分）も停電を伴なうことになる。そこで、隣接する配電線と連系する常開区分開閉器を投入して一時的にループ運転とし、負荷側区間の停電を防止するようにしている（例えば、特許文献１参照）。
【０００３】
このような配電系統の常時閉状態の区分開閉器は常時励磁式であり、配電用開閉器制御装置は、常時閉状態の区分開閉器に対して常時励磁出力を出力している。このような常時励磁式の配電用開閉器制御装置においては、区分開閉器の主回路接点を駆動する補助リレーＣＣに対する励磁出力として、主回路接点を「入」とするならば電圧を印加し、主回路接点を「切」するとならば電圧を印加しないとする制御を実施している。
【０００４】
図６は、従来の配電用開閉器制御装置の一例を示すブロック構成図である。配電用開閉器制御装置１１は、常開区分開閉器１２で区分されたそれぞれの配電線１３ａ、１３ｂの電圧を電圧変成器１４ａ、１４ｂを介して入力する。そして、Ａ側の配電線１３ａの電圧は電圧検出リレー１５ａで検出され、Ｂ側の配電線１３ｂの電圧は電圧検出リレー１５ｂで検出され、電圧有りのときは、それぞれ出力接点１６ａ、１６ｂを閉じる。電圧監視手段１７は出力接点１６ａ、１６ｂの開閉状態を監視し、配電線１３ａ、１３ｂの電圧の有無を監視する。
【０００５】
演算制御手段１８は電圧監視手段１７の監視結果に基づいて常開区分開閉器１２の主回路接点の入切のための制御指令を出力する。すなわち、主回路接点の入り指令であるときは補助リレー１９に電圧を印加し、主回路接点の切り指令であるときは補助リレー１９に電圧を印加しないようにしている。
【０００６】
そして、配電用開閉器制御装置１１内の演算制御手段１８では、常開区分開閉器１２の両端の配電線１３ａ、１３ｂの電圧の片側が無電圧となった場合には、時限投入機能等により、常開区分開閉器１２の投入制御を実行する機能となっている。
【先行技術文献】
【特許文献】
【０００７】
【特許文献１】特開平１０−６６２６１号公報
【発明の概要】
【発明が解決しようとする課題】
【０００８】
しかし、常開区分開閉器１２の両端の配電線１３ａ、１３ｂの電圧を検出する電圧検出リレー１５ａ、１５ｂの不良により、配電系統側で停電が発生していないにもかかわらず、配電用開閉器制御装置１１内の演算制御手段１８により、誤って常開区分開閉器１２の主回路接点の投入制御を実行することがある。誤って常開区分開閉器１２の主回路接点が投入されると、配電系統がループ状態となり、場合よっては過電流により配電用変電所の配電線遮断器をトリップさせることがある。そうした場合には、配電線による電力供給に支障を来すことになる。
【０００９】
本発明の目的は、配電線を区分する常開区分開閉器の両端に接続された配電線の電圧の誤検出を防止し、不必要な系統ループ発生の障害を防止できる配電用開閉器制御装置を提供することである。
【課題を解決するための手段】
【００１０】
本発明の配電用開閉器制御装置は、配電線を区分する常開区分開閉器の両端に接続されたそれぞれの配線線の電圧を検出する一対の電圧検出リレーと、前記常開区分開閉器の両端に接続されたそれぞれの配電線の電圧を検出する一対のＡＣ／ＤＣ変換器と、前記一対の電圧検出リレー及び前記一対のＡＣ／ＤＣ変換器の検出信号を入力し前記常開区分開閉器に接続されたそれぞれの配電線につき前記電圧検出リレー及び前記ＡＣ／ＤＣ変換器の検出電圧を監視する電圧監視手段と、前記電圧監視手段が前記電圧検出リレー及び前記ＡＣ／ＤＣ変換器の双方が電圧無しを検出している配電線があるときは常開区分開閉器の投入制御指令を出力する演算制御手段とを備えたことを特徴とする。
【発明の効果】
【００１１】
本発明によれば、配電線を区分する常開区分開閉器の両端に接続された配電線の電圧の誤検出を防止し、不必要な系統ループ発生の障害を防止できる。
【図面の簡単な説明】
【００１２】
【図１】本発明の実施の形態に係わる配電用開閉器制御装置の実施例１の構成図。
【図２】本発明の実施の形態に係わる配電用開閉器制御装置の実施例２の構成図。
【図３】本発明の実施の形態に係わる配電用開閉器制御装置の実施例２での電圧検出異常判定の処理内容を示すフローチャート。
【図４】本発明の実施の形態に係わる配電用開閉器制御装置の実施例３の構成図。
【図５】本発明の実施の形態に係わる配電用開閉器制御装置の実施例４の構成図。
【図６】従来の配電用開閉器制御装置の一例を示すブロック構成図。
【発明を実施するための形態】
【００１３】
以下、本発明の実施の形態を説明する。図１は本発明の実施の形態に係わる配電用開閉器制御装置の実施例１の構成図である。この実施例１は、図６に示した従来例に対し、配電線１３ａ、１３ｂの電圧を検出する一対のＡＣ／ＤＣ変換器２０ａ、２０ｂを追加して設け、電圧監視手段１７は一対の電圧検出リレー１５ａ、１５ｂ及び一対のＡＣ／ＤＣ変換器２０ａ、２０ｂの検出信号を監視するようにしたものである。図１と同一要素には同一符号を付し重複する説明は省略する。
【００１４】
配電用開閉器制御装置１１には、常開区分開閉器１２で区分されたそれぞれの配電線１３ａ、１３ｂの電圧が電圧変成器１４ａ、１４ｂを介して入力される。Ａ側の配電線１３ａの電圧は電圧検出リレー１５ａ及びＡ側のＡＣ／ＤＣ変換器２０ａで検出される。同様に、Ｂ側の配電線１３ｂの電圧は電圧検出リレー１５ｂ及びＢ側のＡＣ／ＤＣ変換器２０ｂで検出される。電圧検出リレー１５ａ、１５ｂは電圧有りのときは、それぞれ出力接点１６ａ、１６ｂを閉じる。電圧監視手段１７は出力接点１６ａ、１６ｂの開閉状態及びＡＣ／ＤＣ変換器２０ａ、２０ｂの直流出力電圧を監視し、配電線１３ａ、１３ｂの電圧の有無を監視する。
【００１５】
電圧監視手段１７は、ＡＣ／ＤＣ変換器２０ａ、２０ｂの検出電圧と電圧検出リレー１５ａ、１５ｂの検出電圧とを入力し、表１に示す真理値により、配電用の常開区分開閉器１２の主回路接点のＡ側ならびにＢ側の配電線１３ａ、１３ｂの電圧有無を判定する。
【表１】
2011010507.tif 000003
【００１６】
表１に示すように、電圧監視手段１７は、電圧検出リレー１５ａ、１５ｂ及びＡＣ／ＤＣ変換器２０ａ、２０ｂの双方が電圧有りを検出したとき、又は、いずれか一方が電圧有りを検出したときは、配電線１３ａ、１３ｂは充電されていると判定する。
【００１７】
電圧監視手段１７は、表１に基づいて判定した配電線１３ａ、１３ｂの電圧有無の結果を演算制御手段１８へ伝達する。演算制御手段１８はこの電圧有無の結果により、配電系統の片側停電か否かを判断する。電圧検出リレー１５ａ及びＡＣ／ＤＣ変換器２０ａの双方が電圧無しの場合、または、電圧検出リレー１５ｂ及びＡＣ／ＤＣ変換器２０ｂの双方が電圧無しの場合には、表１の停電と判定し、その結果で常開区分開閉器１２の主回路接点の投入が必要と判断する。この場合に、補助リレー１９へ主回路接点の励磁出力を行う。
【００１８】
一方、電圧検出リレー１５ａ、１５ｂのリレー部の断線等による部品故障が発生し、電圧検出リレー１５ａ、１５ｂの電圧検出結果が「電圧無」となってもＡＣ／ＤＣ変換器２０ａ、２０ｂの電圧検出結果が「電圧有」の場合は、表１の真理値に従い、当該の電圧は、「充電」と判断される。従って、常開区分開閉器１２の主回路を投入する誤動作を阻止することが可能となる。
【００１９】
ここで、電圧監視手段１７及び演算制御手段１８はマイクロコンピュータで構成する。なお、マイクロコンピュータに代えてロジックＩＣ等を適用したハードウェアロジックで構成するようにしてもよい。
【００２０】
実施例１によれば、電圧検出リレー１５ａ、１５ｂに加えＡＣ／ＤＣ変換器２０ａ、２０ｂを設けたので、常開区分開閉器１２の両端に接続される配電線１３ａ、１３ｂの電圧検出の精度が向上する。すなわち、ＡＣ／ＤＣ変換器２０ａ、２０ｂまたは電圧検出リレー１５ａ、１５ｂのいずれかが故障しても電圧検出を誤ることなく、運転を継続することが可能であり、誤投入に伴う電力供給の支障を未然に防止することができる。
【００２１】
次に、図２は本発明の実施の形態に係わる配電用開閉器制御装置の実施例２の構成図である。この実施例２は、図１に示した実施例１に対し、装置異常の履歴を記憶する記憶部２１を追加して設け、演算制御手段１８は、電圧検出リレー１５ａ、１５ｂの検出電圧とＡＣ／ＤＣ変換器２０ａ、２０ｂの検出電圧とが不一致である場合には、記憶部２１に装置異常を記憶するようにしたものである。図１と同一要素には同一符号を付し重複する説明は省略する。
【００２２】
電圧監視手段１７において、ＡＣ／ＤＣ変換器２０ａ、２０ｂの電圧検出出力と電圧検出リレー１５ａ、１５ｂの電圧検出出力とが不一致の場合、どちらかが異常である。このため、その異常結果を記憶部２１に保存する。この場合の装置異常の情報としては、不一致の電圧検出出力となったＡＣ／ＤＣ変換器２０ａ、２０ｂ及び電圧検出リレー１５ａ、１５ｂを記憶する。これにより、記憶部２１には装置異常の履歴が記憶されることになり、後の装置故障の調査に活用することができる。
【００２３】
図３は、演算制御手段１８での電圧検出異常の判定処理内容を示すフローチャートである。ＡＣ／ＤＣ変換器２０ａ、２０ｂの電圧検出出力と電圧検出リレー１５ａ、１５ｂの電圧検出出力とを比較し、不一致であるか否かを判定する（Ｓ１）。不一致でない場合には処理を終了する。一方、不一致であるときは装置異常を記憶部２１に記憶する（Ｓ２）。この処理は、ＡＣ／ＤＣ変換器２０ａ、２０ｂによる電圧検出及び電圧検出リレー１５ａ、１５ｂによる電圧検出の度に繰り返し行う。
【００２４】
実施例２によれば、ＡＣ／ＤＣ変換器２０ａ、２０ｂの電圧検出と電圧検出リレー１５ａ、１５ｂの電圧検出の結果が不一致の場合は、装置異常として記憶部２１に記憶するので、記憶部２１には装置異常の履歴が記憶され、後の装置故障の調査に活用することができる。
【００２５】
次に、図４は本発明の実施の形態に係わる配電用開閉器制御装置の実施例３の構成図である。この実施例３は、図１に示した実施例１に対し、装置異常の異常信号を表示部２２に表示する表示処理手段２３を追加して設け、演算制御手段１８は、電圧検出リレー１５ａ、１５ｂの検出電圧とＡＣ／ＤＣ変換器２０ａ、２０ｂの検出電圧とが不一致である場合に、表示処理手段２３を介して異常信号を表示部２２に表示するようにしたものである。図１と同一要素には同一符号を付し重複する説明は省略する。
【００２６】
電圧監視手段１７において、ＡＣ／ＤＣ変換器２０ａ、２０ｂの電圧検出出力と電圧検出リレー１５ａ、１５ｂの電圧検出出力とが不一致の場合には、どちらかが異常であるので、その異常結果を表示処理手段２３を介して表示部２２に表示出力する。表示部２２としては、ＬＥＤやマグサイン等を用いる。これにより、装置異常の異常信号が表示出力されるので、ＡＣ／ＤＣ変換器２０ａ、２０ｂや電圧検出リレー１５ａ、１５ｂの異常を容易に確認できる。
【００２７】
ここで、電圧監視手段１７、演算制御手段１８及び表示処理手段２３はマイクロコンピュータで構成する。なお、これらをマイクロコンピュータに代えてロジックＩＣ等を適用したハードウェアロジックで構成するようにしてもよい。又、実施例１に対して表示部２２及び表示処理手段２３を設けた場合を示したが、実施例２に対して表示部２２及び表示処理手段２３を設けるようにしてもよい。
【００２８】
次に、図５は本発明の実施の形態に係わる配電用開閉器制御装置の実施例４の構成図である。この実施例４は、図１に示した実施例１に対し、装置異常の異常信号を親局装置に伝送する伝送手段２４を追加して設け、演算制御手段１８は、電圧検出リレー１５ａ、１５ｂの検出電圧とＡＣ／ＤＣ変換器２０ａ、２０ｂの検出電圧とが不一致である場合に、異常信号を伝送手段２４を介して親局装置に伝送するようにしたものである。図１と同一要素には同一符号を付し重複する説明は省略する。
【００２９】
電圧監視手段１７において、ＡＣ／ＤＣ変換器２０ａ、２０ｂの電圧検出出力と電圧検出リレー１５ａ、１５ｂの電圧検出出力とが不一致の場合には、どちらかが異常であるので、その異常結果を伝送手段２４を介して親局装置に伝送する。これにより、親局装置においてもＡＣ／ＤＣ変換器２０ａ、２０ｂや電圧検出リレー１５ａ、１５ｂの異常を容易に確認できる。
【００３０】
以上の説明では、実施例１に対して伝送手段２４を設けた場合を示したが、実施例２、３に対して伝送手段２４を設け、親局装置に装置異常の異常信号を伝送するようにしてもよい。
【００３１】
本発明実施の形態によれば、電圧検出リレー１５ａ、１５ｂの故障や異常等による電圧検出結果を無電圧と誤検出することを防止できる。これにより、常開区分開閉器１２の主回路接点の誤投入による不必要な系統ループ発生の障害を防止することができる。
【符号の説明】
【００３２】
１１…配電用開閉器制御装置、１２…常開区分開閉器、１３…配電線、１４…電圧変成器、１５…電圧検出リレー、１６…出力接点、１７…電圧監視手段、１８…演算制御手段、１９…補助リレー、２０…ＡＣ／ＤＣ変換器、２１…記憶部、２２…表示部、２３…表示処理手段、２４…伝送手段
【図１】
2011010507.tif 000004
【図２】
2011010507.tif 000005
【図３】
2011010507.tif 000006
【図４】
2011010507.tif 000007
【図５】
2011010507.tif 000008
【図６】
2011010507.tif 000009